(57)【特許請求の範囲】
【請求項１】
複数の光学面と、接眼光学系とを有する観察光学系であって、
前記複数の光学面のうち、互いに対向する２つの光学面における少なくとも１面の光学有効領域に、入射光の波長よりも小さい周期を有する周期構造を有し、
前記接眼光学系は、前記２つの光学面を通過した光を観察者の眼に導き、
前記２つの光学面は、以下の条件を満足する空気間隔ｄを間に挟んで配置されていることを特徴とする観察光学系。
０＜ｄ／ｆｅ＜０．１
但し、ｆｅは前記接眼光学系の焦点距離である。
【請求項２】
前記周期構造が、前記光学面を有する光学部材に一体形成されていることを特徴とする請求項１に記載の観察光学系。
【請求項３】
前記光学部材が樹脂材料により形成されていることを特徴とする請求項２に記載の観察光学系。
【請求項４】
前記周期構造の材質の屈折率ｎが、
１．２≦√ｎ≦１．２７
なる条件を満足することを特徴とする請求項１に記載の観察光学系。
【請求項５】
前記周期構造の周期Ｐが、
４５ｎｍ≦Ｐ≦３２０ｎｍ
なる条件を満足することを特徴とする請求項１に記載の観察光学系。
【請求項６】
前記観察光学系における一次結像面の近傍に配置される光学部材のうち少なくとも１つの光学面の光学有効領域に前記周期構造が設けられていることを特徴とする請求項１から５のいずれか１つに記載の観察光学系。
【請求項７】
対物光学系を有し、
前記対物光学系の光学面のうち少なくとも１面の光学有効領域に前記周期構造が設けられていることを特徴とする請求項１から５のいずれか１つに記載の観察光学系。
【請求項８】
前記対物光学系が変倍系であって、負のレンズ群と正のレンズ群とを有し、
前記負レンズ群の光学面のうち少なくとも１面の光学有効領域に前記周期構造が設けられていることを特徴とする請求項７に記載の観察光学系。
【請求項９】
前記対物光学系が変倍系であって、
前記対物光学系のうち変倍の際に移動するレンズ群の光学面のうち少なくとも１面の光学有効領域に前記周期構造が設けられていることを特徴とする請求項７に記載の観察光学系。
【請求項１０】
対物光学部材を有し、
前記対物光学部材のうち少なくとも物体側に凹形状を向けた光学面の光学有効領域に前記周期構造が設けられていることを特徴とする請求項１から５のいずれか１つに記載の観察光学系。
【請求項１１】
接眼光学部材を有し、
前記接眼光学部材に最も近い光学面の光学有効領域に前記周期構造が設けられていることを特徴とする請求項１から５のいずれか１つに記載の観察光学系。
【請求項１２】
請求項１から１１のいずれか１つに記載の観察光学系を備えたことを特徴とする光学機器。
【発明の詳細な説明】
【０００１】
【発明の属する技術分野】
本発明は、スチルカメラやビデオカメラのファインダー光学系や双眼鏡に用いられる観察光学系に関するものであり、そのファインダーを構成する対物レンズ系、接眼レンズ系、プリズム等の光学部材を適切に設定することにより良好なる像観察を可能とするものに関する。
【０００２】
【従来の技術】
従来、光学系において反射防止の手法が種々提案されている。写真用カメラやビデオカメラ等のファインダー光学系においても良好な観察視野を得るために、以下のような反射防止手法が知られている。
【０００３】
まず、レンズ表面の面反射によるゴーストを防止するために、所定の光学面にＭｇＦ2 ，ＳｉＯ2 等の反射防止膜を施すものとして、特開平７−７７７３０号公報に、対物レンズの表面に反射防止膜を施したファインダー光学系が提案されている。
【０００４】
また、特開平８−１７９４００号公報には、微小な空気間隔を挟んだ２つのプリズムの面のいずれかの面に反射防止膜を付加することで多重反射を防止するファインダー光学系が提案されている。
【０００５】
反射防止膜は、レンズ表面でのフレネル反射を防止し、レンズの透過率を向上させる効果が知られているが、従来のファイダー光学系に使用される樹脂材料は屈折率が低いことと人間の目のゴースト光の許容度とにより、表面反射は無視できる範囲であった。
【０００６】
ところで、近年のカメラの小型化に伴い、ファインダー光学系も小型なものが求められるようになっている。小型化のためには、ファインダー光学系を構成するレンズ同士をより近接した配置にする必要がある。また、小型化で問題となる諸収差を補正するために、対物レンズや接眼レンズの枚数を増やす傾向にある。
【０００７】
【発明が解決しようとする課題】
しかしながら、レンズ枚数が増えることで、レンズ表面でのフレネル反射による透過率の減少が無視できなくなってきている。
【０００８】
また、レンズ同士が近接して配置されることにより、レンズ面間で反射された光線がゴーストとなるいわゆる面反射ゴーストも発生する。面反射ゴーストを発生させないためには充分なレンズ間隔をもって配置すればよいが、これではファインダー光学系やカメラの小型化の要求を満たすことができない。
【０００９】
小型のままレンズ面の反射を防止するためには、光学面に反射防止膜を施せばよい。しかしながら、特開平７−７７７３０号公報、特開平８−１７９４００号公報に記載されているように、プラスチックレンズにおいてレンズ表面に反射防止膜を施す場合、その反射防止膜を単層とするときには、一般に、ＭｇＦ2 ，ＳｉＯ2 などを用いるが、これらはプラスチックとの密着性が弱いため、実際は密着性を向上させるための樹脂膜を予めプラスチックレンズの表面に形成しておき、その上に上記反射防止膜を施すことが多い。
【００１０】
加えて、耐磨耗性、表面硬度などを向上させるための保護膜層を設ける場合もある。
【００１１】
また、樹脂材からなる光学部材に上記のような反射防止膜を形成する際、加熱により光学部材が変形するおそれがあるため、高温での蒸着ができず、耐久性の点において問題があった。
【００１２】
このように従来の反射防止手法では光学部材に安価な樹脂材料を用いても、コーティングを施すことによって結果的にコストアップにつながり、さらに製造工程が増えてしまったり、安定した品質の反射防止構造が得られないことが問題である。
【００１３】
以上により、ファインダー光学系等の観察光学系に求められる反射防止構造は、
・大型化しないこと
・コストアップにならないこと
・製造工程を増やさずに安定した品質が得られること
が要求される。
【００１４】
そこで、本発明は、光学部材の表面でのフレネル反射を低減し、透過率を向上させ、また、複数の光学面間で発生する面反射ゴーストを防止することができるようにした観察光学系を提供することを目的としている。
【００１５】
【課題を解決するための手段】
上記の目的を達成するために、本発明では、複数の光学面と、接眼光学系とを有する観察光学系において、上記複数の光学面のうち、互いに対向する２つの光学面における少なくとも１面の光学有効領域に、入射光の波長よりも小さい周期を有する周期構造を有し、
接眼光学系は、上記２つの光学面を通過した光を観察者の眼に導く。そして、該２つの光学面は、以下の条件を満足する空気間隔ｄを間に挟んで配置されている。
０＜ｄ／ｆｅ＜０．１
【００１６】
これにより、観察光学系を大型化させることなく、光学部材の表面でのフレネル反射を低減させるとともに透過率を向上させ、また、２つの光学面間で発生する面反射ゴーストを防止することが可能となる。特に、２つの光学面間の空気層での多重反射によるゴースト光を防止することができる。しかも、微細周期構造は、光学部材が樹脂材料の場合にはこれと一体形成することが可能であるので、製造コストや製造工程の増加を招かずに済み、安定した品質を得ることが可能となる。
【００１７】
なお、微細周期構造の材質の屈折率ｎは、
１．２≦√ｎ≦１．２７
なる条件を満足するようにするとよい。
【００１８】
また、微細周期構造の周期Ｐを、
４５ｎｍ≦Ｐ≦３２０ｎｍ
なる条件を満足するようにするとよい。
【００１９】
また、微細周期構造を設ける場所としては、例えば、複数の光学面のうち互いに対向する２つの光学面の光学有効領域、対物光学系の光学面のうち少なくとも１面の光学有効領域、変倍系であって負のレンズ群と正のレンズ群とを有する対物光学系における負レンズ群の光学面のうち少なくとも１面の光学有効領域、対物光学系のうち変倍の際に移動するレンズ群の光学面のうち少なくとも１面の光学有効領域および対物光学部材のうち少なくとも物体側に凹形状を向けた面の光学有効領域が挙げられる。また、それぞれ異形状の対物光学部材と接眼光学部材のうち少なくとも１つの光学面の光学有効領域や接眼光学部材に最も近い光学面の光学有効領域に設けてもよい。
【００２０】
【発明の実施の形態】
微細周期構造を持つ特徴として反射防止機能が知られている。これは、入射波長より小さな周期を持つ微細周期構造を基板等に設けることによって、反射防止機能を実現することができるものである。
【００２１】
例えば、図１２には、基板１６３上に設けられた略矩形形状の微細周期構造１６２の模式図を示している。この微細周期構造は、１次元方向にのみ周期構造を有し、断面形状が略矩形形状をしているものである。基板材料としては、ＰＭＭＡ（屈折率ｎ＝１．４９２）を用い、格子周期Ｐを０．２μｍ、格子深さ（高さ）Ｄを０．１μｍ、格子部分における基板材料の比率を表わすフィリングファクターＷ／Ｐを０．５とした。
【００２２】
図１２に示すような略矩形形状の微細周期構造を基板上に設けた場合の反射率特性を図１３に示す。ここでは、材料としてＰＭＭＡを用いた。また、反射率はベクトル回折理論である厳密結合波解析を用いて算出した。
【００２３】
微細周期構造の格子周期が入射波長に比べ小さい領域においては、スカラー回折理論は近似的に成立せず、厳密な反射率を求めることはできないためである。
【００２４】
図１３において、横軸は波長を、縦軸は反射率を表わしている。点線はＰＭＭＡ基板のみの場合の反射率特性を表わしており、実線は、ＰＭＭＡ基板の表面に略矩形形状の微細周期構造を設けた場合の反射率特性を表わしている。この図から、基板１６３の表面に微細周期構造１６２を設けることによって、反射率が低減していることが分かる。
【００２５】
また、別の微細周期構造として、例えば図１４には、基板１８３上に設けられた略三角格子形状の微細周期構造１８２の模式図を示している。この微細周期構造は、１次元方向にのみ周期構造を有し、断面形状が略三角格子形状をしているものである。ここでは、基板１８３の材料としてＰＭＭＡを用い、格子周期Ｐを０．２μｍ、格子幅Ｗを０．１μｍ、格子深さＤを０．１９μｍとした。
【００２６】
図１５には、ＰＭＭＡ基板そのものと、基板１８３の表面に略三角格子形状の微細細周期構造１８２を設けた場合との反射率を比較して示している。この図において、横軸は波長を、縦軸は反射率を表わしており、反射率の算出には厳密結合波解析を用いた。図１５から、基板１８３の表面に微細周期構造１８２を設けることによって、反射率が低減していることが分かる。
【００２７】
以上のように微細周期構造を設けていないＰＭＭＡ基板の反射率（スカラー計算）に比べ、微細周期構造を設けた場合では反射率の減少が見られる。つまり、基板表面に微細周期構造を設けることによって、基板の反射率を低減させることができる。
【００２８】
また、このような微細周期構造は、例えば、電子線を用いた直接描画や反応性イオンエッチング（ＲＩＥ）などの手法を用いて製作することが可能である。
【００２９】
格子周期Ｐが入射波長と同程度の大きさを持つ場合には、共鳴領域において特徴的である強い偏光特性や強い波長依存性および高次回折光の発生が観測され、所望の反射防止性能を達成することが困難であるとともに、実際の光学系に適用した場合、高次回折光が迷光の原因になると考えられる。
【００３０】
このような高次回折光を発生させないようにするために、格子周期Ｐを入射波長の１／２から１／１０程度（入射光が可視光域波長を有する場合には、４５ｎｍ≦Ｐ≦３２０ｎｍ）の微細周期構造を持たせることが好ましい。
【００３１】
また、微細周期構造は上記のように１次元方向にのみ周期を持ついわゆる櫛歯状の構造が代表的なものであるが、これに限らず、例えば、ｘｙ平面上にて格子形状が正方形や長方形である格子構造のような二次元の微細周期構造を有していてもよい。格子形状、格子周期、格子幅、格子深さにおいては所望の光学性能を満たす最適な値に設定すればよい。
【００３２】
反射防止構造として、上述の微細周期構造をカメラに用いられるファインダー光学系に設けた具体的な実施形態を参考例とともに以下に記す。
【００３３】
（第１参考例）
図１には、本発明の第１参考例のファインダー光学系の要部断面図を示している。このファインダー光学系は、撮影光学系とは別の対物光学系を有するカメラ用のファインダー光学系であり、図中の左側が物体側であり、右側が観察者の瞳側である。
【００３４】
Ｌ１は全体として負の屈折力を有する対物レンズであり、物体側から順に瞳側に、正の第１レンズＧ１、負の第２レンズＧ２、負の第３レンズＧ３の３つのレンズにより構成されている。
【００３５】
Ｌｅは接眼レンズであり、正の屈折力を有する単一の正レンズにより構成されている。Ｇ１，Ｇ２，Ｇ３，Ｌｅの材質は全てＰＭＭＡである。
【００３６】
Ｓはフレーム板であり、平板の物体側の面にアルミ蒸着等で視野枠（ファインダー視野枠）等のファインダー情報が形成されている。接眼レンズＬｅを介して、基準アイポイントＥより正立正像の視野像（ファインダー像）を観察することになる。
【００３７】
対物レンズ系Ｌ１の最も瞳側のレンズ面Ｒ６には、ハーフミラー等の反射手段を設け、フレーム板Ｓに蒸着で形成されたファインダー情報を視野像（ファインダー像）と重ねて観察することができる実像アルバダ式を採用している。
【００３８】
本参考例においては、特に面反射ゴーストを防止するために効果的なＲ２面、Ｒ３面、
Ｒ９面に微細周期構造Ａを設けている。なお、図中には、微細周期構造Ａを模式的に強調して表現しているため、実際の反射防止機能を有する微細周期構造の大きさおよび形状とは異なる。
【００３９】
例えばＲ２面は、Ｒ１面，Ｒ３面，Ｒ４面と対向しており、これらそれぞれ対向する２面の間でゴーストが発生する可能性がある。そこで、これら対向する２面のうち少なくともＲ２面の光学有効領域（ファインダー観察に有効な光線が通過する領域）に、微細周期構造Ａを設ければ、面反射は充分に低減できる。
【００４０】
同様に、Ｒ３面はＲ２面，Ｒ４面，Ｒ５面と対向するため、これらそれぞれ対向する２面の間でゴーストが発生する可能性がある。このため、これら対向する２面のうち少なくともＲ３面の光学有効領域に、微細周期構造Ａを設けている。
【００４１】
また、Ｒ９面はＲ６面，Ｒ７面，Ｒ８面と対向するため、これらそれぞれ対向する２面の間でゴーストが発生する可能性がある。このため、これら対向する２つの面のうち効果的なＲ９面の光学有効領域に、反射防止機能を有する微細周期構造Ａを設けている。
【００４２】
本参考例では、微細周期構造は、基板となるレンズ（ＰＭＭＡ）と一体成型されている。このため、例えば微細周期構造を形成した膜をレンズ面に貼り付けるような場合に比べて、製造工程、コストを低下させ易く、また微細周期構造を蒸着面を除く全ての面に設けることも可能である。また、ＰＭＭＡのような樹脂材においても所望の光学性能を達成しつつ、前述の反射防止膜における耐久性、加工性の問題も解決される。
【００４３】
ここで、微細周期構造Ａの材質の屈折率ｎを、
１．２≦√ｎ≦１．２７
とするのが望ましい。これは、一般的にレンズやプリズムを形成する樹脂材料とほぼ同じ屈折率である。つまり、微細周期構造Ａをレンズ等の光学部材に一体成型することによって得られる屈折率である。
【００４４】
（第２参考例）
図２および図３には、本発明の第２参考例である一眼レフレックスカメラ用のファインダー光学系の要部断面図を示している。
【００４５】
図２のファインダー光学系は、不図示の撮影光学系からミラーにより導かれた光が入射する焦点板６１からアイポイントＥに至るまでの光路中に配置され、反射を利用して像反転を行うペンタプリズムからなる像反転部材６２と、プラスチック材料からなる接眼レンズＬｅとを備えている。このファインダー光学系では、第１参考例にて説明したのと同様の微細周期構造Ａが、接眼レンズＬｅの物体側の面（入射面）の光学有効領域に接眼レンズＬｅと一体のものとして形成されている。
【００４６】
また、図３のファインダー光学系は、焦点板７１からアイポイントＥに至るまでの光路中に配置され、反射を利用して像反転を行う複数のミラーを組み合わせて構成された像反転部材７２と、プラスチック材料からなるレンズ７３ａ，７３ｂにより構成された接眼レンズＬｅとを備えている。このファインダー光学系では、第１参考例にて説明したのと同様の微細周期構造Ａが、接眼レンズＬｅのうち観察者の瞳側のレンズ７３ｂの物体側の面（入射面）および瞳側の面（射出面）の光学有効領域にレンズ７３ｂと一体のものとして形成されている。また、接眼レンズＬｅのうち物体側のレンズ７３ａの物体側の面（入射面）および瞳側の面（射出面）の光学有効領域にも微細周期構造Ａがレンズ７３ａと一体のものとして形成されている。
【００４７】
さらに、図４には、撮影光学系とは別の対物光学系を有するカメラ用のファインダー光学系の要部断面図を示している。このファインダー光学系は、物体側から順に、対物レンズＬ１と、プリズムＰ１，Ｐ２と、視野枠Ｓと、プラスチック材料からなる接眼レンズＬｅとから構成されている。なお、図４では、プリズムＰ１，Ｐ２を展開したブロックとして示している。このファインダー光学系では、第１実施形態にて説明したのと同様の微細周期構造Ａが、接眼レンズＬｅの物体側の面（入射面）Ａの光学有効領域に接眼レンズＬｅと一体のものとして形成されている。
【００４８】
これら図２から図４に示したファインダー光学系では、上記各光学面に微細周期構造Ａを設けることにより、図中右の瞳側からの逆入光による有害光により発生する面反射ゴーストを除去することができる。しかも、微細周期構造Ａは、接眼レンズＬｅに一体成型されるため、コストアップすることがなく、見易いファインダーを得ることができる。
【００４９】
また、図２から図４において、接眼レンズよりも外側にカバープレートがカバープレートの片面又は両面に微細周期構造Ａを設けてもよい。
【００５０】
（実施形態）
図６および図７には、本発明の実施形態であるファインダー光学系の要部断面図を示している。このファインダー光学系では、対物レンズＬ１によって視野枠Ｓの近傍に形成される物体像を、接眼レンズＬｅを介してアイポイントＥから観察する。
【００５１】
対物レンズＬ１と接眼レンズＬｅに至る光路中には、微小な空気間隔ｄをもって樹脂製のプリズムＰ１，Ｐ２からなる像反転部材が配置されている。また、図６ではプリズムＰ１，Ｐ２から射出した光が、図７では対物レンズＬ１から射出した光が、高反射ミラーＭ１により光路を折り曲げられて接眼レンズＬｅ又はプリズムＰ２，Ｐ１に導かれる。
【００５２】
本実施形態においては、プリズムＰ１，Ｐ２における微小な空気間隔ｄを挟む２つの光学面のうち少なくとも一方の光学有効領域に、第１参考例にて説明したのと同様の微細周期構造Ａをプリズムに一体成型している。これにより、図５に示すような微小な空気層での多重反射によるゴースト光を防止することができる。
【００５３】
特に微小な空気間隔ｄが下記範囲である場合、微細周期構造Ａを施すとよい。
【００５４】
０＜ｄ／ｆｅ＜０．１
但し、ｄ：微小な間隔  ｆｅ：接眼レンズの焦点距離
また、図７に示すように、プリズムＰ１と接眼レンズＬｅが近くに配置されている場合には、プリズムＰ１の射出面（接眼レンズ側）の光学有効領域にも微細周期構造Ａを設けるとよい。
【００５５】
（第３参考例）
図８および図９には、本発明の第３参考例のファインダー光学系の要部断面図を示している。図８のファインダー光学系は、撮影光学系とは別の対物光学系を有するカメラ用のファインダー光学系であり、対物レンズＬ１によって視野枠Ｓの近傍に形成された物体像を接眼レンズＬｅを介してアイポイントＥから観察するものである。
【００５６】
対物レンズＬ１から接眼レンズＬｅに至る光路中には、樹脂製のプリズムＰ１，Ｐ２からなる像反転部材が配置され、光路を折り曲げている。また、対物レンズＬ１の物体側と接眼レンズＬｅの瞳側には、平板のガラス製または樹脂製のカバープレート１２１，１２２が配置されている。
【００５７】
また、図９のファインダー光学系は、一眼レフレックスカメラ用のファインダー光学系であり、不図示の撮影光学系からミラーにより導かれた光が入射する焦点板１３１からアイポイントＥに至るまでの光路中に、反射を利用して像反転を行うペンタプリズム１３２と、接眼レンズＬｅとを備えている。
【００５８】
接眼レンズＬｅよりも観察者の瞳側には、平板のガラス製または樹脂製のカバープレート１３３が配置されている。
【００５９】
そして、これら図８および図９のファインダー光学系では、カバープレート１２２，１３３の片面又は両面の光学有効領域に、第１参考例にて説明したのと同様な微細周期構造Ａをカバープレート１２２，１３３に一体成型している。
【００６０】
これにより、カバープレート１２２，１３３の平面で発生し得る面反射ゴースト光線を防止している。
【００６１】
微細周期構造Ａは、カバープレート１２２，１３３の特にカメラの内側となる面（入射面）に設けるのが望ましいが、図９に示すように、ファインダー観察像を高品位にするために、カバープレート１３３の外側の面（射出面）にも設けてもよい。この場合、外側の面の微細周期構造には、保護層または保護膜を付加し、耐久性を向上させるのが望ましい。
【００６２】
（第４参考例）
図１０および図１１には、本発明の第４参考例である変倍ファインダー光学系を示している。このファインダー光学系は、撮影光学系とは別の対物光学系を有するカメラ用のファインダー光学系である。
【００６３】
このファインダー光学系は、対物レンズＬ１によって視野枠Ｓの近傍に形成された物体像を接眼レンズＬｅを介してアイポイントＥから観察するものである。
【００６４】
対物レンズＬ１から接眼レンズＬｅに至る光路中には、樹脂製のプリズムＰ１，２からなる像反転部材が配置され、光路を折り曲げている。対物レンズＬ１は、物体側から正の第１レンズＧ１、負の第２レンズＧ２、正の第３レンズＧ３および正の第４レンズＧ４から構成されており、撮影光学系の変倍とともにレンズＧ２，Ｇ３，Ｇ４が矢印の方向に移動することによって、このファインダー光学系の変倍も行われる。レンズＧ１，Ｇ２，Ｇ３，Ｇ４はすべて樹脂製である。
【００６５】
図１０は、ファインダー光学系の広角端状態を示し、図１１は望遠端状態を示す。
【００６６】
本参考例においては、対物レンズＬ１を構成するＧ１，Ｇ２，Ｇ３，Ｇ４の両面の光学有効領域に、レンズと一体に微細周期構造Ａを設けている。
【００６７】
これによる第１の効果としては、多群構成で光学面数が多い対物レンズにおいて、レンズ表面でのフレネル反射を低減し、いわゆる「ぬけ」のよいファインダー像を観察することができる。
【００６８】
また、変倍時に移動する３つのレンズ群は、広角端から望遠端でそれぞれの間隔が近接した配置になることがある。例えば、図１０の広角端状態においてはレンズＧ１とＧ２とが近接し、レンズＧ３とＧ４とが近接する。また、図１１の望遠端状態では、レンズＧ２とＧ３とＧ４間の間隔が小さくなる。
【００６９】
このような場合に、第２の効果として、微細周期構造Ａは各光学面間で生じる面反射ゴーストを防止する。このため、更にレンズ同士の間隔を小さくしても、面反射ゴーストの発生を抑制することができる。
【００７０】
本参考例によれば、微細周期構造Ａは一体の型で、しかもレンズとともに成型できるため、小型化およびコストアップの抑制を図りつつ、対物レンズの全面に反射防止構造を施すことができ、より良好な視野のファインダー光学系を実現することができる。
【００７１】
なお、本発明における微細周期構造は、格子周期Ｐ、格子深さＤおよび格子幅Ｗを１つの光学面内で変化させてもよい。これにより、光の入射角の変化に合わせて所望の透過率特性を得ることができる。
【００７２】
また、図１６に示されるような光学面の外周（側端部）にメカ形状も兼ねる突起部２０１，２０２等があるレンズ２００の光学面にのみ従来の反射防止膜を蒸着させるのは困難であり、コストおよび製造工程が増加する。このような異形状のレンズであっても上述のような微細周期構造であればレンズ面のみに一体的に成形すること可能なため、コストや製造工程が増加することなく反射防止効果のあるレンズ面が達成できる。
【００７３】
図１や図１０に示されるようなファインダー光学系の対物レンズにおいては、光の入射角が大きい物体側のレンズ群の光学面に上記のような微細周期構造を設けると、コストや後の工程が増加することなく、光の入射角の違いによる反射率、透過率といった光学特性が変動することのない高性能なファインダー光学系を実現することができる。
【００７４】
さらに、上記実施形態では、カメラ用のファインダー光学系について説明したが、本発明は、双眼鏡や単眼望遠鏡における観察光学系に適用してもよい。
【００７５】
【発明の効果】
以上説明したように、本発明によれば、複数の光学面のうち、０＜ｄ／ｆｅ＜０．１なる条件を満足する空気間隔ｄを間に挟んで互いに対向する２つの光学面における少なくとも１面の光学有効領域に、入射光の波長よりも小さい周期を有する周期構造が設けられているので、観察光学系を大型化させることなく、２つの光学面の表面でのフレネル反射を低減させるとともに透過率を向上させ、また、２つの光学面間で発生する面反射ゴーストを防止することができる。
【００７６】
しかも、周期構造は、光学部材が樹脂材料の場合にはこれと一体形成することが可能であるので、製造コストや製造工程の増加を招かずに済み、安定した品質を得ることができる。
【図面の簡単な説明】
【図１】  本発明の第１参考例であるファインダー光学系の要部断面図
【図２】  本発明の第２参考例であるファインダー光学系の要部断面図。
【図３】  本発明の第２参考例である他のファインダー光学系の要部断面図。
【図４】  本発明の第２参考例である他のファインダー光学系の要部断面図。
【図５】  近接したプリズム間で生じる多重反射によるゴースト光を示す要部概略図。
【図６】  本発明の実施形態であるファインダー光学系の要部断面図。
【図７】  本発明の実施形態である他のファインダー光学系の要部断面図。
【図８】  本発明の第３参考例であるファインダー光学系の要部断面図。
【図９】  本発明の第３参考例であるファインダー光学系の要部断面図。
【図１０】  本発明の第４参考例である変倍ファインダー光学系（広角端）の要部断面図
。
【図１１】  本発明の第４参考例である変倍ファインダー光学系（望遠端）の要部断面図
。
【図１２】  略矩形形状の微細周期構造を有する反射防止機能素子の断面図。
【図１３】  略矩形形状の微細周期構造を有する反射防止機能素子の反射率特性を示すグラ
フ図。
【図１４】  略三角格子形状の微細周期構造を有する反射防止機能素子の断面図。
【図１５】  略三角格子形状の微細周期構造を有する反射防止機能素子の反射率特性を示す
グラフ図。
【図１６】  異形状のレンズの概略図。
【符号の説明】
Ｌ１  対物レンズ
Ｌｅ  接眼レンズ
Ｅ       アイポイント
Ｐ１  プリズム
Ｐ２  プリズム
Ｓ  視野枠
Ｍ１  高反射ミラー
Ａ，Ａ’  微細周期構造
Ｗ  広角端  Ｔ  望遠端
【図１】
0004018440.tif 000002
【図２】
0004018440.tif 000003
【図３】
0004018440.tif 000004
【図４】
0004018440.tif 000005
【図５】
0004018440.tif 000006
【図６】
0004018440.tif 000007
【図７】
0004018440.tif 000008
【図８】
0004018440.tif 000009
【図９】
0004018440.tif 000010
【図１０】
0004018440.tif 000011
【図１１】
0004018440.tif 000012
【図１２】
0004018440.tif 000013
【図１３】
0004018440.tif 000014
【図１４】
0004018440.tif 000015
【図１５】
0004018440.tif 000016
【図１６】
0004018440.tif 000017